(57)【特許請求の範囲】
【請求項１】
所定の記録媒体に収録されているアプリケーションプログラムに従って当該記録媒体からタイトルを読み出す読出手段と、
上記アプリケーションプログラムに従い上記タイトルのビデオコンテンツをコンテンツ提供装置からダウンロードして所定の表示手段に表示するビデオコンテンツ表示制御手段と、
上記ビデオコンテンツの再生映像を表示中、ユーザから指定されたユーザ所望の動画シーンに対応する開始点タイミング及び終了点タイミングをメタデータとして生成すると共に当該動画シーンをイメージさせる関連画像を生成し、上記メタデータ及び上記関連画像を動画シーン情報として所定の外部記憶手段に対して記憶する動画シーン情報生成手段と、
上記動画シーン情報を用いて、上記関連画像及びフル再生ボタンが設けられ上記動画シーンを紹介するための紹介画面を生成し上記表示手段に表示する紹介画面生成手段と、
上記関連画像が選択されたとき、上記開始点タイミング及び上記終了点タイミングに応じた上記動画シーンに相当する上記ビデオコンテンツの時間的範囲部分を上記コンテンツ提供装置からダウンロードして上記表示手段に表示する動画シーン再生手段と
上記フル再生ボタンが選択されたとき、上記開始点タイミング及び上記終了点タイミングに拘わらず、上記ビデオコンテンツを最初から最後まで全てダウンロードして上記表示手段に表示するフル再生手段と
を具えるコンテンツ再生装置。
【請求項２】
上記動画シーン情報生成手段は、ユーザがお気に入りボタンを押下し始めたタイミングを上記開始点タイミングとし、ユーザが上記お気に入りボタンを離したタイミングを上記終了点タイミングとする
請求項１に記載のコンテンツ再生装置。
【請求項３】
上記動画シーン情報生成手段は、上記開始点タイミングよりも所定時間だけ戻した時点を登録時開始点タイミングとして上記外部記憶手段に対して記憶する
請求項１に記載のコンテンツ再生装置。
【請求項４】
上記動画シーン情報生成手段は、上記ビデオコンテンツの時間的範囲部分を表示中、ユーザから再度指定された修正開始点タイミング及び修正終了点タイミングを上記メタデータとして上記外部記憶手段に対して記憶することにより更新する
請求項３に記載のコンテンツ再生装置。
【請求項５】
上記動画シーン情報生成手段は、上記登録時開始点タイミング及び上記終了点タイミングに加え、現時点の日付、上記タイトルを用いて上記メタデータを生成する
請求項３に記載のコンテンツ再生装置。
【請求項６】
上記読出手段は、上記記録媒体に割り振られた固有の識別情報を読み出して上記コンテンツ提供装置による認証を受け、
上記ビデオコンテンツ表示制御手段は、上記コンテンツ提供装置による認証が確認されたときに限り、上記ビデオコンテンツをダウンロードする
請求項１に記載のコンテンツ再生装置。
【請求項７】
所定の記録媒体に収録されているアプリケーションプログラムに従って当該記録媒体から読み出されたタイトルに対するコンテンツ再生装置からの再生開始要求に応じたビデオコンテンツを配信する配信手段と、
上記配信手段による上記ビデオコンテンツの配信中、上記コンテンツ再生装置を介してユーザから指定されたユーザ所望の動画シーンに対応する開始点タイミング及び終了点タイミングをメタデータとして当該コンテンツ再生装置から受信すると共に、当該動画シーンをイメージさせる関連画像を当該コンテンツ再生装置から受信し、上記メタデータ及び上記関連画像を動画シーン情報として所定の記憶手段に記憶する動画シーン情報記憶手段と、
上記動画シーン情報を用いて、上記関連画像及びフル再生ボタンが設けられ上記動画シーンを紹介するための紹介画面を生成し上記コンテンツ再生装置へ送信する紹介画面生成手段と
を具え、
上記配信手段は、上記紹介画面から上記関連画像が選択された場合、上記開始点タイミング及び上記終了点タイミングに応じた上記動画シーンに相当する上記ビデオコンテンツの時間的範囲部分に対する再生開始要求を上記コンテンツ再生装置から受信する一方、上記フル再生ボタンが選択された場合、上記開始点タイミング及び上記終了点タイミングに拘わらず、上記ビデオコンテンツの最初から最後までの再生開始要求を上記コンテンツ再生装置から受信する
コンテンツ提供装置。
【請求項８】
コンテンツ再生装置とコンテンツ提供装置とがネットワークを介して接続されてなるコンテンツ配信システムであって、
上記コンテンツ再生装置は、
所定の記録媒体に収録されているアプリケーションプログラムに従って当該記録媒体からタイトルを読み出す読出手段と、
上記アプリケーションプログラムに従い上記タイトルのビデオコンテンツをコンテンツ提供装置からダウンロードして表示手段に表示するビデオコンテンツ表示制御手段と、
上記ビデオコンテンツの再生映像を表示中、ユーザから指定されたユーザ所望の動画シーンに対応する開始点タイミング及び終了点タイミングをメタデータとして生成すると共に当該動画シーンをイメージさせる関連画像を生成し、上記メタデータ及び上記関連画像を動画シーン情報として所定の外部記憶手段に対して記憶する動画シーン情報生成手段と、
上記動画シーン情報を用いて、上記関連画像及びフル再生ボタンが設けられ上記動画シーンを紹介するための紹介画面を生成し上記表示手段に表示する紹介画面生成手段と、
上記関連画像が選択された場合、上記開始点タイミング及び上記終了点タイミングに応じた上記動画シーンに相当する上記ビデオコンテンツの時間的範囲部分に対する再生開始要求を上記コンテンツ提供装置へ送信する一方、上記フル再生ボタンが選択されたとき、上記開始点タイミング及び上記終了点タイミングに拘わらず、上記ビデオコンテンツの最初から最後までの再生開始要求を上記コンテンツ提供装置へ送信する送信手段と、
上記再生開始要求に応じた上記ビデオコンテンツを上記コンテンツ提供装置からダウンロードして上記表示手段に表示する動画シーン再生手段と
を具え、
上記コンテンツ提供装置は、
上記コンテンツ再生装置から上記タイトルのビデオコンテンツに対する再生開始要求に応じた上記ビデオコンテンツを当該コンテンツ再生装置へ配信する配信手段と
を具えるコンテンツ配信システム。
【請求項９】
コンテンツ再生装置とコンテンツ提供装置とがネットワークを介して接続されてなるコンテンツ配信システムであって、
上記コンテンツ再生装置は、
所定の記録媒体に収録されているアプリケーションプログラムに従って当該記録媒体からタイトルを読み出す読出手段と、
上記アプリケーションプログラムに従い上記タイトルのビデオコンテンツをコンテンツ提供装置からダウンロードして表示手段に表示するビデオコンテンツ表示制御手段と、
上記ビデオコンテンツの再生映像を表示中、ユーザから指定されたユーザ所望の動画シーンに対応する開始点タイミング及び終了点タイミングをメタデータとして生成すると共に当該動画シーンをイメージさせる関連画像を生成し、上記メタデータ及び上記関連画像を動画シーン情報として上記コンテンツ提供装置へ送信する動画シーン情報生成手段と、
上記関連画像及びフル再生ボタンが設けられ上記動画シーンを紹介するための紹介画面を上記コンテンツ提供装置から受信し、上記関連画像が選択された場合、上記開始点タイミング及び上記終了点タイミングに応じた上記動画シーンに相当する上記ビデオコンテンツの時間的範囲部分に対する再生開始要求を上記コンテンツ提供装置へ送信する一方、上記フル再生ボタンが選択されたとき、上記開始点タイミング及び上記終了点タイミングに拘わらず、上記ビデオコンテンツの最初から最後までの再生開始要求を上記コンテンツ提供装置へ送信する送信手段と
を具え、
上記コンテンツ提供装置は、
上記コンテンツ再生装置から上記タイトルのビデオコンテンツに対する再生開始要求に応じた上記ビデオコンテンツを配信する配信手段と、
上記動画シーン情報を当該コンテンツ再生装置から受信し所定の記憶手段に対して記憶する動画シーン情報記憶手段と、
上記動画シーン情報を用いて、上記関連画像及び上記フル再生ボタンが設けられ上記動画シーンを紹介するための紹介画面を生成して上記コンテンツ再生装置へ送信する紹介画面生成手段と
を具えるコンテンツ配信システム。
【発明の詳細な説明】
【技術分野】
【０００１】
本発明は、コンテンツ再生装置、コンテンツ提供装置及びコンテンツ配信システムに関し、例えばビデオコンテンツをストリーミング再生可能なブルーレイディスクプレーヤと、そのビデオコンテンツをストリーミング配信可能なビデオストリーミングサーバとがインターネット接続されてなるコンテンツ配信システムに適用して好適なものである。
【背景技術】
【０００２】
従来、映画を視聴したときの思い出を残す手段としては、その映画のパンフレットを購入して保存したり、その映画のＤＶＤ(Digital Versatile Disc)等を購入し、有形なものとして保存するといったことが一般的である。
【０００３】
しかしながら、このような保存形態は映画の提供者側から提供されたものを購入するという受け身的な形態でしかなく、ユーザにとって、その映画のお気に入りシーンや、自分のコメント等を組み合わせた形で、積極的にユーザがアレンジした形態で思い出を残すような手段は無かった。
【０００４】
その一方、インターネット上でビデオ映像を公開したり、テレビ映像を個人動画提供サイトに投稿することが行われているが、ユーザにとって思い出を残すというような意味合いとは異なる。
【０００５】
ところで、ユーザにより指定されたリッピング開始タイミングとリッピング終了タイミングとに応じて、音楽ＣＤのうちユーザ所望のオーディオ部分をリッピングして外部記憶メディアに記憶するカーオーディオ一体型ナビゲーションシステムが知られている（例えば特許文献１）。
【先行技術文献】
【特許文献】
【０００６】
【特許文献１】特開2005-196918号公報
【発明の概要】
【発明が解決しようとする課題】
【０００７】
ところで上述した特許文献１に記載されているカーオーディオ一体型ナビゲーションシステムでは、音楽ＣＤのうちユーザ所望のオーディオ部分だけをリッピングして外部記憶メディアに記憶するに過ぎず、視覚的な思い出のシーンとして残すことはできない。
【０００８】
本発明は以上の点を考慮してなされたもので、ビデオコンテンツの一部をユーザの思い出の動画シーンとして残すことが可能なコンテンツ再生装置、コンテンツ提供装置及びコンテンツ配信システムを提案しようとするものである。
【課題を解決するための手段】
【０００９】
かかる課題を解決するため本発明のコンテンツ再生装置においては、所定の記録媒体に収録されているアプリケーションプログラムに従って当該記録媒体からタイトルを読み出す読出手段と、アプリケーションプログラムに従いタイトルのビデオコンテンツをコンテンツ提供装置からダウンロードして所定の表示手段に表示するビデオコンテンツ表示制御手段と、ビデオコンテンツの再生映像を表示中、ユーザから指定されたユーザ所望の動画シーンに対応する開始点タイミング及び終了点タイミングをメタデータとして生成すると共に当該動画シーンをイメージさせる関連画像を生成し、メタデータ及び関連画像を動画シーン情報として所定の外部記憶手段に対して記憶する動画シーン情報生成手段と、動画シーン情報を用いて、関連画像及びフル再生ボタンが設けられ動画シーンを紹介するための紹介画面を生成し表示手段に表示する紹介画面生成手段と、関連画像が選択されたとき、開始点タイミング及び終了点タイミングに応じた動画シーンに相当するビデオコンテンツの時間的範囲部分をコンテンツ提供装置からダウンロードして表示手段に表示する動画シーン再生手段とフル再生ボタンが選択されたとき、開始点タイミング及び終了点タイミングに拘わらず、ビデオコンテンツを最初から最後まで全てダウンロードして表示手段に表示するフル再生手段とを設けるようにする。
【００１０】
従ってコンテンツ再生装置では、コンテンツ提供装置からダウンロードして表示中のビデオコンテンツの再生映像をユーザに目視確認させながら、当該ユーザにより指定された動画シーンに対応する開始点タイミング及び終了点タイミングをメタデータとして生成すると共に関連画像を生成し、これらを動画シーン情報として外部記憶手段に記憶することが出来るので、その後、当該動画シーン情報に基づいて生成した紹介画面を介してユーザが思い出として残した動画シーンを紹介することができる。
【００１１】
また本発明のコンテンツ提供装置においては、所定の記録媒体に収録されているアプリケーションプログラムに従って当該記録媒体から読み出されたタイトルに対するコンテンツ再生装置からの再生開始要求に応じたビデオコンテンツを配信する配信手段と、配信手段によるビデオコンテンツの配信中、コンテンツ再生装置を介してユーザから指定されたユーザ所望の動画シーンに対応する開始点タイミング及び終了点タイミングをメタデータとして当該コンテンツ再生装置から受信すると共に、当該動画シーンをイメージさせる関連画像を当該コンテンツ再生装置から受信し、メタデータ及び関連画像を動画シーン情報として所定の記憶手段に記憶する動画シーン情報記憶手段と、動画シーン情報を用いて、関連画像及びフル再生ボタンが設けられ動画シーンを紹介するための紹介画面を生成しコンテンツ再生装置へ送信する紹介画面生成手段とを設け、配信手段は、紹介画面から関連画像が選択された場合、開始点タイミング及び終了点タイミングに応じた動画シーンに相当するビデオコンテンツの時間的範囲部分に対する再生開始要求をコンテンツ再生装置から受信する一方、フル再生ボタンが選択された場合、開始点タイミング及び終了点タイミングに拘わらず、ビデオコンテンツの最初から最後までの再生開始要求をコンテンツ再生装置から受信するようにする。
【００１２】
従ってコンテンツ提供装置では、ビデオコンテンツの配信中に、コンテンツ再生装置を介してユーザから指定されたユーザ所望の動画シーンに対応する開始点タイミング及び終了点タイミングをメタデータとして受信すると共に、当該動画シーンをイメージさせる関連画像を受信し、メタデータ及び関連画像を動画シーン情報として記憶手段に記憶することが出来るので、コンテンツ再生装置からの依頼に応じてユーザが思い出として残した動画シーンを紹介するための紹介画面を提供することができる。
【００１３】
さらに本発明のコンテンツ配信システムにおいては、コンテンツ再生装置とコンテンツ提供装置とがネットワークを介して接続されてなり、コンテンツ再生装置は、所定の記録媒体に収録されているアプリケーションプログラムに従って当該記録媒体からタイトルを読み出す読出手段と、アプリケーションプログラムに従いタイトルのビデオコンテンツをコンテンツ提供装置からダウンロードして表示手段に表示するビデオコンテンツ表示制御手段と、ビデオコンテンツの再生映像を表示中、ユーザから指定されたユーザ所望の動画シーンに対応する開始点タイミング及び終了点タイミングをメタデータとして生成すると共に当該動画シーンをイメージさせる関連画像を生成し、メタデータ及び関連画像を動画シーン情報として所定の外部記憶手段に対して記憶する動画シーン情報生成手段と、動画シーン情報を用いて、関連画像及びフル再生ボタンが設けられ動画シーンを紹介するための紹介画面を生成して表示手段に表示する紹介画面生成手段と、紹介画面が選択されたとき開始点タイミング及び終了点タイミングに応じた動画シーンに相当するビデオコンテンツの時間的範囲部分に対するストリーミング再生開始要求をコンテンツ提供装置へ送信する一方、上記フル再生ボタンが選択されたとき、上記開始点タイミング及び上記終了点タイミングに拘わらず、上記ビデオコンテンツの最初から最後までの再生開始要求を上記コンテンツ提供装置へ送信する送信手段と、ストリーミング再生開始要求に応じたビデオコンテンツをコンテンツ提供装置からダウンロードして表示手段に表示する動画シーン再生手段とを具え、コンテンツ提供装置は、コンテンツ再生装置からタイトルのビデオコンテンツに対する再生開始要求に応じたビデオコンテンツの時間的範囲部分を当該コンテンツ再生装置へ配信する配信手段とを具えるようにする。
【００１４】
従ってコンテンツ配信システムでは、コンテンツ再生装置がコンテンツ提供装置からダウンロードして表示中のビデオコンテンツの再生映像をユーザに目視確認させながら、当該ユーザにより指定された動画シーンに対応する開始点タイミング及び終了点タイミングをメタデータとして生成すると共に関連画像を生成し、これらを動画シーン情報として外部記憶手段に記憶することが出来るので、その後、当該動画シーン情報に基づいて生成した紹介画面を介してユーザが思い出として残した動画シーンを紹介した後、開始点タイミング及び終了点タイミングに対応した時間的範囲部分の動画シーンをコンテンツ提供装置からダウンロードして提供することができる。
【００１５】
さらに本発明のコンテンツ配信システムにおいては、コンテンツ再生装置とコンテンツ提供装置とがネットワークを介して接続されてなり、コンテンツ再生装置は、所定の記録媒体に収録されているアプリケーションプログラムに従って当該記録媒体からタイトルを読み出す読出手段と、アプリケーションプログラムに従いタイトルのビデオコンテンツをコンテンツ提供装置からダウンロードして表示手段に表示するビデオコンテンツ表示制御手段と、ビデオコンテンツの再生映像を表示中、ユーザから指定されたユーザ所望の動画シーンに対応する開始点タイミング及び終了点タイミングをメタデータとして生成すると共に当該動画シーンをイメージさせる関連画像を生成し、メタデータ及び関連画像を動画シーン情報としてコンテンツ提供装置へ送信する動画シーン情報生成手段と、関連画像及びフル再生ボタンが設けられ動画シーンを紹介するための紹介画面をコンテンツ提供装置から受信し、関連画像が選択された場合、開始点タイミング及び終了点タイミングに応じた動画シーンに相当するビデオコンテンツの時間的範囲部分に対する再生開始要求をコンテンツ提供装置へ送信する一方、フル再生ボタンが選択されたとき、開始点タイミング及び終了点タイミングに拘わらず、ビデオコンテンツの最初から最後までの再生開始要求をコンテンツ提供装置へ送信する送信手段とを具え、コンテンツ提供装置は、コンテンツ再生装置からタイトルのビデオコンテンツに対する再生開始要求に応じたビデオコンテンツを配信する配信手段と、動画シーン情報を当該コンテンツ再生装置から受信し所定の記憶手段に対して記憶する動画シーン情報記憶手段と、動画シーン情報を用いて、上記関連画像及びフル再生ボタンが設けられ動画シーンを紹介するための紹介画面を生成してコンテンツ再生装置へ送信する紹介画面生成手段とを具えるようにする。
【００１６】
従ってコンテンツ配信システムでは、コンテンツ提供装置によるビデオコンテンツの配信中に、コンテンツ再生装置を介してユーザから指定されたユーザ所望の動画シーンに対応する開始点タイミング及び終了点タイミングをメタデータとして受信すると共に、当該動画シーンをイメージさせる関連画像を受信し、メタデータ及び関連画像を動画シーン情報として記憶手段に記憶することが出来るので、コンテンツ再生装置からの依頼に応じてユーザが思い出として残した動画シーンを紹介するための紹介画面を当該コンテンツ再生装置へ提供することができる。
【発明の効果】
【００１７】
本発明によれば、コンテンツ提供装置からダウンロードして表示中のビデオコンテンツの再生映像をユーザに目視確認させながら、当該ユーザにより指定された動画シーンに対応する開始点タイミング及び終了点タイミングをメタデータとして生成すると共に関連画像を生成し、これらを動画シーン情報として外部記憶手段に記憶することが出来るので、その後、当該動画シーン情報に基づいて生成した紹介画面を介してユーザが思い出として残した動画シーンを紹介することができ、かくしてビデオコンテンツの一部をユーザの思い出の動画シーンとして残すことが可能なコンテンツ再生装置を実現することができる。
【００１８】
また本発明によれば、ビデオコンテンツの配信中に、コンテンツ再生装置を介してユーザから指定されたユーザ所望の動画シーンに対応する開始点タイミング及び終了点タイミングをメタデータとして受信すると共に、当該動画シーンをイメージさせる関連画像を受信し、メタデータ及び関連画像を動画シーン情報として記憶手段に記憶することが出来るので、コンテンツ再生装置からの依頼に応じてユーザが思い出として残した動画シーンを紹介するための紹介画面を提供することができ、かくしてビデオコンテンツの一部をユーザの思い出の動画シーンとして残すことが可能なコンテンツ提供装置を実現することができる。
【００１９】
さらに本発明によれば、コンテンツ再生装置がコンテンツ提供装置からダウンロードして表示中のビデオコンテンツの再生映像をユーザに目視確認させながら、当該ユーザにより指定された動画シーンに対応する開始点タイミング及び終了点タイミングをメタデータとして生成すると共に関連画像を生成し、これらを動画シーン情報として外部記憶手段に記憶することが出来るので、その後、当該動画シーン情報に基づいて生成した紹介画面を介してユーザが思い出として残した動画シーンを紹介した後、開始点タイミング及び終了点タイミングに対応した時間的範囲部分の動画シーンをコンテンツ提供装置からダウンロードして提供することができ、かくしてビデオコンテンツの一部をユーザの思い出の動画シーンとして残すことが可能なコンテンツ配信システムを実現することができる。
【００２０】
さらに本発明によれば、コンテンツ提供装置によるビデオコンテンツの配信中に、コンテンツ再生装置を介してユーザから指定されたユーザ所望の動画シーンに対応する開始点タイミング及び終了点タイミングをメタデータとして受信すると共に、当該動画シーンをイメージさせる関連画像を受信し、メタデータ及び関連画像を動画シーン情報として記憶手段に記憶することが出来るので、コンテンツ再生装置からの依頼に応じてユーザが思い出として残した動画シーンを紹介するための紹介画面を当該コンテンツ再生装置へ提供することができ、かくしてビデオコンテンツの一部をユーザの思い出の動画シーンとして残すことが可能なコンテンツ配信システムを実現することができる。
【図面の簡単な説明】
【００２１】
【図１】本発明の一実施の形態におけるコンテンツ配信システムの全体構成を示す略線的概略図である。
【図２】ＢＤレコーダの回路構成を示す略線的ブロック図である。
【図３】再生対象のブルーレイディスクを示す略線図である。
【図４】ビデオストリーミングサーバの回路構成を示す略線的ブロック図である。
【図５】お気に入り動画シーン情報登録処理シーケンスを示す略線図である。
【図６】画面遷移の説明に供する略線図である。
【図７】メタデータ生成記録処理手順を示すサブルーチンのフローチャートである。
【図８】お気に入り動画シーンの登録の説明に供する略線図である。
【図９】ローカルストレージのディレクトリ構造を示す略線図である。
【図１０】メタデータファイルの詳細を示す略線図である。
【図１１】紹介画面の具体例を示す略線図である。
【図１２】お気に入り動画シーン再生及び修正処理シーケンスを示す略線図である。
【図１３】思い出アルバム画面を示す略線図である。
【図１４】メタデータ修正処理手順を示すサブルーチンのフローチャートである。
【図１５】他の実施の形態におけるメタデータファイル作成記録処理の説明に供する略線図である。
【図１６】他の実施の形態におけるビデオストリーミングサーバの回路構成を示す略線的ブロック図である。
【図１７】他の実施の形態における紹介画面の具体例（１）を示す略線図である。
【図１８】他の実施の形態における紹介画面の具体例（２）を示す略線図である。
【図１９】他の実施の形態における思い出アルバム画面を示す略線図である。
【発明を実施するための形態】
【００２２】
以下、発明を実施するための形態について説明する。なお、説明は以下の順序で行う。
１．実施の形態
２．他の実施の形態
【００２３】
＜１．実施の形態＞
［１−１．コンテンツ配信システムの全体構成］
図１において、１は全体として本発明の一実施の形態におけるコンテンツ配信システムを示し、ブルーレイディスクレコーダ（以下、これをＢＤレコーダと呼ぶ）２、テレビ３及びビデオストリーミングサーバ５によって構成されている。
【００２４】
ＢＤレコーダ２は、例えばＨＤＭＩ(High Definition Multimedia Interface)ケーブル７によりテレビ３と接続されると共に、インターネット４を介してビデオストリーミングサーバ５と接続される。
【００２５】
またＢＤレコーダ２は、着脱自在な外部記憶手段である例えばＵＳＢ(Universal Serial Bus)メモリ６が装着され得るようになされており、このＵＳＢメモリ６が各種ファイル等（後述する）を記憶するためのローカルストレージとして用いられるようになされている。
【００２６】
なお、ローカルストレージとして用いられる外部記憶手段としては、ＵＳＢメモリ６に限るものではなく、例えば少なくとも１Ｇ[Byte]以上の記憶容量を有するメモリーカード、着脱式の小型ハードディスクドライブ等、その他種々の外部記憶手段を用いることができる。
【００２７】
［１−２．ＢＤレコーダの回路構成］
図２に示すように、ＢＤレコーダ２においてシステムバス２２に接続された制御部１０は、ＣＰＵ(Central Processing Unit)１１、ＲＯＭ(Read Only Memory)１２及びＲＡＭ(Random Access Memory)１３によって構成されている。
【００２８】
制御部１０のＣＰＵ１１は、ＲＯＭ１２から読み出してＲＡＭ１３に立ち上げた基本プログラム及び各種アプリケーションプログラムに従って当該ＢＤレコーダ２としての基本的な処理等を実行するようになされている。
【００２９】
例えば制御部１０のＣＰＵ１１は、リモートコントローラ（以下、これをリモコンと呼ぶ）１９から入力インタフェース１８を介して受け取った命令がブルーレイディスクＢＤに対する録画命令又は再生命令であれば、ディスク記録再生部１４を介してブルーレイディスクＢＤに対する書き込み又は読出しを行う。
【００３０】
なお、ディスク記録再生部１４では、記録再生対象としてブルーレイディスクＢＤに限るものではなく、ＤＶＤ(Digital Versatile Disc)、ＣＤ(Compact Disc)等の各種光ディスクを記録再生対象として用いることが出来る。
【００３１】
また制御部１０のＣＰＵ１１は、リモコン１９を介してＴＶ番組のＨＤＤ書込命令を受け取ると、チューナ部２１によりディジタル衛星放送波に対する復調処理、デスクランブル処理及びデコード処理等を施し、その結果得られる映像データを、ハードディスクインタフェース１５を介してハードディスクドライブ１６に記録する。
【００３２】
同様に、制御部１０のＣＰＵ１１は、リモコン１９を介して番組映像のＨＤＤ読出命令を受け取ると、ハードディスクインタフェース１５を介してハードディスクドライブ１６に記録されたＴＶ番組の映像データを読み出し、当該映像データを出力インタフェース１７からテレビ３へ出力する。
【００３３】
さらに制御部１０のＣＰＵ１１は、リモコン１９を介してビデオコンテンツのストリーミング再生命令を受け取ると、ネットワークインタフェース２４を介してインターネット４経由でビデオストリーミングサーバ５からユーザ所望のビデオコンテンツをダウンロードしてストリーミング再生する。
【００３４】
このとき制御部１０のＣＰＵ１１は、ビデオストリーミングサーバ５からダウンロードしたビデオコンテンツをハードディスクドライブ１６又はＵＳＢメモリ６に対して一時的にバッファしながら、出力インタフェース１７を介してテレビ３へ出力するようになされている。
【００３５】
なお制御部１０のＣＰＵ１１は、ビデオストリーミングサーバ５からユーザ所望のビデオコンテンツをストリーミング再生中に、ユーザのリモコン１９に対する操作に応じて生成したメタデータファイル（後述する）等を、ＵＳＢインタフェース２０を介してＵＳＢメモリ６に格納するようになされている。
【００３６】
［１−３．再生対象のブルーレイディスク］
ところで、図３に示すように、ＢＤレコーダ２に対して装填されるブルーレイディスクＢＤとしては、所謂ＢＤ−ＪＡＶＡ（登録商標）アプリケーション（以下、これをＢＤ−Ｊアプリと呼ぶ）３１が収録されており、当該ＢＤ−Ｊアプリ３１によってインタラクティブなＧＵＩ(Graphical User Interface)表示を実行し得るようになされている。
【００３７】
ここでＢＤ−Ｊアプリとは、Java（登録商標）言語によって記述されたアプリケーションプログラムであって、インターネット４へ接続することが可能であり、ブルーレイディスクＢＤに収録されているタイトルに関連したビデオコンテンツをダウンロードしたり、当該ビデオコンテンツと連動したサイトへ誘導することができるようになされている。
【００３８】
因みに、このブルーレイディスクＢＤでは、例えば、５歳児向けにプロデュースされた複数のビデオコンテンツのタイトルを構成するタイトルデータ３２が収録されているものの、そのタイトルに対応したビデオコンテンツについては収録されていない。
【００３９】
これは、ブルーレイディスクＢＤが多数のタイトルを紹介することを主目的とし、かつディスク容量の関係でその全てのビデオコンテンツを収録できないことが理由であって、ビデオコンテンツについてはビデオストリーミングサーバ５から必要に応じてダウンロードするようになされている。
【００４０】
その代わりブルーレイディスクＢＤでは、タイトルデータ３２に加えてトレーラー３３と呼ばれる予告編のような短い時間のビデオコンテンツが複数格納されている。従って、ＢＤレコーダ２では、ＢＤ−Ｊアプリ３１によってＧＵＩ表示されたメニューの中からプレビューボタンが押下操作されると、このトレーラー３３をプレビュー再生するようになされている。
【００４１】
従ってＢＤレコーダ２ではトレーラー３３をプレビュー再生した結果テレビ３に表示される予告編の映像を目視確認したユーザにより、ＢＤ−Ｊアプリ３１によってＧＵＩ表示されたフル再生ボタンが押下操作されると、そのタイトルに対応したビデオコンテンツをビデオストリーミングサーバ５から全編ダウンロードしてストリーミング再生するようになされている。
【００４２】
［１−４．ビデオストリーミングサーバの回路構成］
図４に示すように、ビデオストリーミングサーバ５においてシステムバス５８に接続されたストリーミング管理部５０は、ＣＰＵ５１、ＲＯＭ５２及びＲＡＭ５３によって構成され、ＲＯＭ５２から読み出してＲＡＭ５３に立ち上げた基本プログラム等に従ってビデオコンテンツのストリーミング配信処理等を実行するようになされている。
【００４３】
実際、ストリーミング管理部５０のＣＰＵ５１は、ＢＤレコーダ２からブルーレイディスクＢＤに収録されたタイトルが指定され、かつ、そのタイトルに対応したビデオコンテンツに対するストリーミング再生開始要求を当該ＢＤレコーダ２からネットワークインタフェース５４経由で受け取ると、次の処理へ移る。
【００４４】
このときストリーミング管理部５０のＣＰＵ５１は、ハードディスクインタフェース５５を介してハードディスクドライブ５６からタイトルに対応したビデオコンテンツを探し出し、そのビデオコンテンツを読み出しながらネットワークインタフェース５４及びインターネット４経由でＢＤレコーダ２へストリーミング配信するようになされている。
【００４５】
なお、ストリーミング管理部５０のＣＰＵ５１は、ＢＤレコーダ２から開始点タイムコード及び終了点タイムコード（後述する）がＢＤレコーダ２から指示されれば、そのビデオコンテンツにおける開始点タイムコード及び終了点タイムコードの時間範囲内をユーザ所望のお気に入り動画シーンとして部分的にストリーミング配信し得るようになされている。
【００４６】
［１−５．お気に入り動画シーン登録処理シーケンス］
次に、このような構成のコンテンツ配信システム１において、ＢＤレコーダ２によるビデオコンテンツのストリーミング再生中に、お気に入り動画シーンの時間的範囲（開始点タイムコード及び終了点タイムコード）をＵＳＢメモリ６にメタデータとして登録する、お気に入り動画シーン情報登録処理シーケンスについて以下説明する。
【００４７】
なお、ここでＢＤレコーダ２では、制御部１０のＣＰＵ１１がブルーレイディスクＢＤに収録されているＢＤ−Ｊアプリ３１に従って、お気に入り動画シーン情報登録処理シーケンスを実行する。
【００４８】
図５に示すように、まずユーザＵＲは、ステップＳＰ１においてＢＤレコーダ２に対してブルーレイディスクＢＤを装填し、次のステップＳＰ２へ移る。
【００４９】
このときＢＤレコーダ２の制御部１０は、ステップＳＰ１１において、ブルーレイディスクＢＤのＢＤ−Ｊアプリ３１に従い、図６に示すようなトップメニュー画面ＴＭＧをテレビ３に表示し、次のステップＳＰ１２へ移る。
【００５０】
ところでＢＤレコーダ２の制御部１０は、ＢＤ−Ｊアプリ３１に従い、ユーザにより装填されたブルーレイディスクＢＤに対して固有のディスクＩＤを割り振ることが出来るようになされている。これによりＢＤレコーダ２では、ビデオストリーミングサーバ５に対して当該ブルーレイディスクＢＤが予め登録されたものであるか否かの認証処理（後述する）を実行させ得るようになされている。
【００５１】
このトップメニュー画面ＴＭＧでは、その左側にタイトルメニューボタンＢ１が表示されると共に、ユーザＵＲが思い出として残したお気に入り動画シーンを視聴するための思い出アルバムボタンＢ２が表示されている。
【００５２】
ユーザＵＲは、ステップＳＰ２において、トップメニュー画面ＴＭＧを目視確認した後、ストリーミング再生を希望するビデオコンテンツを選択するためタイトルメニューボタンＢ１を選択し、次のステップＳＰ３へ移る。
【００５３】
このときＢＤレコーダ２の制御部１０は、ステップＳＰ１２において、ＢＤ−Ｊアプリ３１に従い、トップメニュー画面ＴＭＧから切り換えてコンテンツタイトル画面ＣＴＧをテレビ３に表示し、次のステップＳＰ１３へ移る。
【００５４】
このコンテンツタイトル画面ＣＴＧでは、複数のビデオコンテンツに対応したタイトル及びキャラクターが記載されたタイトル画像ＴＬ１〜ＴＬ１０が選択可能なことをイメージさせるタイトル画像リストＴＬが円形に並べられ、回転表示されている。
【００５５】
なお、コンテンツタイトル画面ＣＴＧでは、プレビューボタンＢ３とフル再生ボタンＢ４とが配置されている。ＢＤレコーダ２の制御部１０は、プレビューボタンＢ３が選択されると、タイトル画像ＴＬ１〜ＴＬ１０の何れかに対応し、当該ブルーレイディスクＢＤに予め格納されているトレーラー３３をプレビュー再生してテレビ３に表示するようになされている。
【００５６】
ユーザＵＲは、このトレーラー３３によるプレビュー再生映像を目視確認することにより、そのトレーラー３３に対応したビデオコンテンツを改めて全編再生するか否かを決定することができる。
【００５７】
またＢＤレコーダ２の制御部１０は、コンテンツタイトル画面ＣＴＧのタイトル画像リストＴＬにおけるタイトル画像ＴＬ１〜ＴＬ１０の何れかがユーザＵＲにより選択され、かつフル再生ボタンＢ４が押下操作されると、そのビデオコンテンツをビデオストリーミングサーバ５からダウンロードして全編ストリーミング再生するようになされている。
【００５８】
ユーザＵＲは、ステップＳＰ３において、コンテンツタイトル画面ＣＴＧを目視確認した後、ストリーミング再生を希望するタイトル画像ＴＬ１〜ＴＬ１０の何れかを選択し、フル再生ボタンＢ４を押下操作することによりＢＤレコーダ２に対して再生開始指示を与え、次のステップＳＰ４へ移る。
【００５９】
このときＢＤレコーダ２の制御部１０は、ステップＳＰ１３において、コンテンツタイトル画面ＣＴＧにおいて選択されたタイトル画像ＴＬ１〜ＴＬ１０のうちの何れかに対応するタイトルを認識し、ビデオストリーミングサーバ５に対してタイトルＩＤ(Identification)の指定及びストリーミング再生開始要求を行い、次のステップＳＰ１４へ移る。
【００６０】
ビデオストリーミングサーバ５のストリーミング管理部５０は、ステップＳＰ２１において、ＢＤレコーダ２からのストリーミング再生開始要求に基づいて当該タイトルＩＤに対応したビデオコンテンツをハードディスクドライブ５６から探し出し、そのビデオコンテンツを読み出してストリーミング配信を開始し、次のステップＳＰ２２へ移る。
【００６１】
これによりＢＤレコーダ２の制御部１０は、ステップＳＰ１４において、ビデオストリーミングサーバ５からダウンロードしたビデオコンテンツをストリーミング再生してテレビ３に表示することにより、その内容をユーザに目視確認させ、次のステップＳＰ１５へ移る。
【００６２】
ユーザＵＲは、ステップＳＰ４において、ビデオコンテンツのストリーミング再生中の映像を目視確認しているとき、思い出として残しておきたいお気に入り動画シーンの開始タイミングを見つけたとき、リモコン１９のお気に入りボタン１９Ａ（図２）を押下し、次のステップＳＰ５へ移る。
【００６３】
このときＢＤレコーダ２の制御部１０は、ステップＳＰ１５において、リモコン１９のお気に入りボタン１９Ａが押下された現時点の日付、その現時点を示す仮の開始点タイムコードＴＴ、ストリーミング再生中のビデオコンテンツに対応したタイトルＩＤを認識する。
【００６４】
同時にＢＤレコーダ２の制御部１０は、仮の開始点タイムコードＴＴに対応したフレーム画像を所定サイズに縮小することによりサムネイル画像ＳＧを生成し、日付、仮の開始点タイムコードＴＴ、タイトルＩＤ及びサムネイル画像ＳＧをＲＡＭ１３にバッファした後、次のステップＳＰ１６へ移る。
【００６５】
ユーザＵＲは、ステップＳＰ５において、リモコン１９のお気に入りボタン１９Ａ（図２）を押下し続けている最中に、思い出として残しておきたいお気に入り動画シーンの終了タイミングを見つけると、お気に入りボタン１９Ａを離し、次のステップＳＰ６へ移る。
【００６６】
このときＢＤレコーダ２の制御部１０は、ステップＳＰ１６において、リモコン１９のお気に入りボタン１９Ａが離された現時点を示す終了点タイムコードＴｅを認識し、これをＲＡＭ１３にバッファした後、次のステップＳＰ１７へ移る。
【００６７】
ステップＳＰ１７においてＢＤレコーダ２の制御部１０は、現時点の日付、仮の開始点タイムコードＴＴ、タイトルＩＤ、終了点タイムコードＴｅ及びサムネイル画像ＳＧの格納場所等に基づいてお気に入り動画シーンに関するメタデータＭＤを生成し、これをメタデータファイルＭＤＦとしてサムネイル画像ＳＧと共にＵＳＢメモリ６に記録した後、次のステップＳＰ１８へ移る。
【００６８】
ここで実際にＢＤレコーダ２の制御部１０は、図７に示すように、ステップＳＰ１７Ａにおいて、ステップＳＰ１５で認識した仮の開始点タイムコードＴＴから所定の戻し時間Ｔｗ（例えば５秒間）を減算することにより、お気に入りボタン１９Ａが押下されたタイミングよりも５秒間だけ遡った登録時開始点タイムコードＴｓを求め、次のステップＳＰ１７Ｂへ移る。
【００６９】
ステップＳＰ１７ＢにおいてＢＤレコーダ２の制御部１０は、登録時開始点タイムコードＴｓ、タイトルＩＤ、終了点タイムコードＴｅ及びサムネイル画像ＳＧの格納場所等に基づいてお気に入り動画シーンに関するメタデータＭＤを生成し、これをメタデータファイルＭＤＦとしてサムネイル画像ＳＧと共にＵＳＢメモリ６に記録した後、次のステップＳＰ１８へ移る。
【００７０】
ユーザＵＲは、ステップＳＰ６において、ストリーミング再生中のビデオコンテンツに対する再生停止指示をリモコン１９によりＢＤレコーダ２へ与え、次のステップＳＰ７へ移って処理を終了する。
【００７１】
このときＢＤレコーダ２の制御部１０は、ステップＳＰ１８において、再生停止指示に基づいてストリーミング再生停止要求をビデオストリーミングサーバ５へ行い、次のステップＳＰ１９へ移って処理を終了する。
【００７２】
ビデオストリーミングサーバ５のストリーミング管理部５０は、ステップＳＰ２２において、ＢＤレコーダ２からのストリーミング再生停止要求に基づいて現在ストリーミング配信中のビデオコンテンツに対するストリーミング配信を停止し、次のステップＳＰ２３へ移って処理を終了する。
【００７３】
このようにコンテンツ配信システム１では、図８に示すように、ＢＤレコーダ２を介してビデオストリーミングサーバ５からストリーミング再生中のビデオコンテンツを見ているユーザＵＲのお気に入りボタン１９Ａに対する押下操作に応じて、お気に入り動画シーンの登録時開始点タイムコードＴｓ及び終了点タイムコードＴｅを決定することができる。
【００７４】
そしてＢＤレコーダ２の制御部１０は、登録時開始点タイムコードＴｓ、終了点タイムコードＴｅ、タイトルＩＤ及びサムネイル画像ＳＧの格納場所等に基づいてお気に入り動画シーンに関するメタデータＭＤを生成し、これをメタデータファイルＭＤＦとしてＵＳＢメモリ６に記録すると共に、そのサムネイル画像ＳＧについてもＵＳＢメモリ６に記録する。
【００７５】
これによりＢＤレコーダ２の制御部１０は、メタデータファイルＭＤＦ及びサムネイル画像ＳＧを、ユーザが思い出として残すことを希望するお気に入り動画シーン情報として、ローカルストレージであるＵＳＢメモリ６に登録し得るようになされている。
【００７６】
［１−６．ローカルストレージのディレクトリ構造］
ここでメタデータファイルＭＤＦ及びサムネイル画像ＳＧを格納するＵＳＢメモリ６のディレクトリ構造を図９に示す。ＵＳＢメモリ６では、ＲＯＯＴディレクトリの下位にディスクＡ（当該ブルーレイディスクＢＤ）、ディスクＢ、ディスクＣのようにディスク毎にファイルやデータの格納場所が分けられている。
【００７７】
例えば、ディスクＡは、本実施の形態における５歳児向けの当該ブルーレイディスクＢＤであり、ディスクＢは市販の映画のＤＶＤであり、ディスクＣは市販のテレビドラマのＤＶＤである。
【００７８】
ＵＳＢメモリ６では、ディスクＡ（当該ブルーレイディスクＢＤ）に対応して上述したメタデータファイルＭＤＦ及びサムネイル画像ＳＧ（ＳＧ１〜ＳＧ３）がお気に入り動画シーン情報として格納されている。
【００７９】
またＵＳＢメモリ６では、ディスクＢに対応して、ネットワークからダウンロードしたその映画の仏語字幕ファイルＦＦが格納され、ディスクＣに対応してネットワークからダウンロードした最新のトレーラーＴＲが格納されている。
【００８０】
［１−７．メタデータファイルの詳細］
ここでは、図１０に示すように、例えばディスクＡ（当該ブルーレイディスクＢＤ）に対応した３つのビデオコンテンツに関するお気に入り動画シーンのメタデータＭＤ１〜ＭＤ３が格納されているメタデータファイルＭＤＦの詳細について具体的に説明する。
【００８１】
このメタデータファイルＭＤＦでは、３つのビデオコンテンツに関するお気に入り動画シーンのメタデータＭＤ１〜ＭＤ３が全部で３ページ分収録されている。
【００８２】
ページ１では、日付「2009.04.06」、タイトル「となりのトリ」、タイトルＩＤ「00123」、サムネイル画像ＳＧ１「Local Storage内のパス（データ格納場所）」、登録時開始点タイムコードＴｓ「013005」、終了点タイムコードＴｅ「013120」が記載されている。
【００８３】
ページ２では、日付「2009.06.10」、タイトル「Haunted House」、タイトルＩＤ「00451」、サムネイル画像ＳＧ２「Local Storage内のパス（データ格納場所）」、登録時開始点タイムコードＴｓ「001520」、終了点タイムコードＴｅ「001802」が記載されている。
【００８４】
ページ３では、日付「2010.09.15」、タイトル「Space travel」、タイトルＩＤ「00703」、サムネイル画像ＳＧ３「Local Storage内のパス（データ格納場所）」、登録時開始点タイムコードＴｓ「021023」、終了点タイムコードＴｅ「021435」が記載されている。
【００８５】
従ってＢＤレコーダ２の制御部１０は、メタデータファイルＭＤＦにおけるページ１のメタデータＭＤ１とサムネイル画像ＳＧ１とを用いて、図１１（Ａ）に示すようなお気に入り動画シーンを紹介するための紹介画面ＭＧ１を生成するようになされている。
【００８６】
同様に、ＢＤレコーダ２の制御部１０は、メタデータファイルＭＤＦにおけるページ２のメタデータＭＤ２とサムネイル画像ＳＧ２とを用いて、図１１（Ｂ）に示すようなお気に入り動画シーンを紹介するための紹介画面ＭＧ２を生成する。
【００８７】
同様に、ＢＤレコーダ２の制御部１０は、ページ３のメタデータＭＤ３とサムネイル画像ＳＧ３とを用いて、図１１（Ｃ）に示すようなお気に入り動画シーンを紹介するための紹介画面ＭＧ３を生成する。
【００８８】
これらの紹介画面ＭＧ１〜ＭＧ３では、そのビデオコンテンツのタイトル、ユーザがお気に入りボタン１９Ａを最初に押下操作した時点の代表的なサムネイル画像ＳＧ１〜ＳＧ３、及び当該紹介画面ＭＧ１〜ＭＧ３を作成したときの日付が表示されている。
【００８９】
従ってユーザＵＲは、紹介画面ＭＧ１〜ＭＧ３を目視確認することにより、そのビデオコンテンツを見たとき、どのような動画シーンを気に入って登録したのかを瞬時に思い出すことが出来ると共に、そのタイトル及び日付についても認識することができる。
【００９０】
［１−８．お気に入り動画シーン再生及び修正処理シーケンス］
続いて、上述した紹介画面ＭＧ１〜ＭＧ３を選択することにより、ユーザが思い出として残したお気に入り動画シーンをストリーミング再生し、そのストリーミング再生中にそのお気に入り動画シーンの時間的範囲を更に修正するお気に入り動画シーン再生及び修正処理シーケンスについて、以下説明する。
【００９１】
なお、この場合もＢＤレコーダ２では、制御部１０のＣＰＵ１１がブルーレイディスクＢＤに収録されているＢＤ−Ｊアプリ３１に従ってお気に入り動画シーン再生及び修正処理シーケンスを実行するようになされている。
【００９２】
図１２に示すように、まずユーザＵＲは、ステップＳＰ１０１においてＢＤレコーダ２に対してブルーレイディスクＢＤを装填し、次のステップＳＰ１０２へ移る。
【００９３】
このときＢＤレコーダ２の制御部１０は、ステップＳＰ１１１において、ユーザにより装填されたブルーレイディスクＢＤに予め割り振られている固有のディスクＩＤを読み取り、そのディスクＩＤをビデオストリーミングサーバ５へ送信することにより認証要求を行った後、次のステップＳＰ１１２へ移る。
【００９４】
ビデオストリーミングサーバ５のストリーミング管理部５０は、ステップＳＰ１３１において、ＢＤレコーダ２からの認証要求に応じて、そのディスクＩＤが予め登録されているか否かを判定する。
【００９５】
ここで否定結果が得られると、このことはそのブルーレイディスクＢＤについては予めビデオストリーミングサーバ５にディスクＩＤが登録されていない非正規ユーザのものであることを表しており、このときビデオストリーミングサーバ５のストリーミング管理部５０は、次のステップＳＰ１３２へ移る。
【００９６】
ステップＳＰ１３２においてビデオストリーミングサーバ５のストリーミング管理部５０は、そのブルーレイディスクＢＤを介してビデオコンテンツのストリーミング再生開始要求を受け付けることは出来ないことを意味する「認証ＮＧ」をＢＤレコーダ２へ通知する。
【００９７】
これに対してステップＳＰ１３１で肯定結果が得られると、このことはそのブルーレイディスクＢＤが予めビデオストリーミングサーバ５に登録されている正規ユーザのものであることを表しており、このときビデオストリーミングサーバ５のストリーミング管理部５０は、次のステップＳＰ１３３へ移る。
【００９８】
ステップＳＰ１３３においてビデオストリーミングサーバ５のストリーミング管理部５０は、そのブルーレイディスクＢＤを介してビデオコンテンツのストリーミング再生開始要求を受け付けることが出来るので、「認証ＯＫ」をＢＤレコーダ２へ通知し、次のステップＳＰ１３４へ移る。
【００９９】
このときＢＤレコーダ２の制御部１０は、ステップＳＰ１１２において、ビデオストリーミングサーバ５から「認証ＯＫ」の通知を受け取ったか否かを判定し、否定結果が得られた場合、お気に入り動画シーンの再生及び修正処理を実行することが出来ないので、ステップＳＰ１２２へ移って処理を終了する。
【０１００】
これに対してステップＳＰ１１２で肯定結果が得られると、このことはそのブルーレイディスクＢＤを介してお気に入り動画シーンの再生及び修正処理を実行することが出来ることを表しており、このときＢＤレコーダ２の制御部１０は次のステップＳＰ１１３へ移る。
【０１０１】
ステップＳＰ１１３においてＢＤレコーダ２の制御部１０は、ＢＤ−Ｊアプリ３１に従って、図６に示したようなトップメニュー画面ＴＭＧをテレビ３に表示し、次のステップＳＰ１１４へ移る。
【０１０２】
このトップメニュー画面ＴＭＧでは、上述したように、その左側にタイトルメニューボタンＢ１が表示されると共に、お気に入り動画シーンを視聴するための思い出アルバムボタンＢ２が表示されている。
【０１０３】
従ってユーザＵＲは、ステップＳＰ１０２において、トップメニュー画面ＴＭＧを目視確認した後、当該ユーザＵＲが予め残しておいたお気に入り動画シーンを視聴するための思い出アルバムボタンＢ２を選択し、次のステップＳＰ１０３へ移る。
【０１０４】
このときＢＤレコーダ２の制御部１０は、ステップＳＰ１１４において、ローカルストレージとして用いられているＵＳＢメモリ６からメタデータファイルＭＤＦ（図９）及びサムネイル画像ＳＧ１〜ＳＧ３（図９）を読み出し、これに基づいて図１１（Ａ）〜（Ｃ）に示すような紹介画面ＭＧ１〜ＭＧ３を生成した後、次のステップＳＰ１１５へ移る。
【０１０５】
ステップＳＰ１１５においてＢＤレコーダ２の制御部１０は、紹介画面ＭＧ１〜ＭＧ３を用いて、図６に示すような思い出アルバム画面ＯＡＧを生成してテレビ３に表示し、次のステップＳＰ１１６へ移る。
【０１０６】
この思い出アルバム画面ＯＡＧでは、３ページ分の紹介画面ＭＧ１〜ＭＧ３が重ねられた状態で表示され、そのうちの任意のページをユーザＵＲに選択させ得るようになされている。
【０１０７】
ユーザＵＲは、ステップＳＰ１０３において、思い出アルバム画面ＯＡＧの中から所望のページ（例えば紹介画面ＭＧ１）を選択し、且つそのページに表示されているサムネイル画像ＳＧ（例えばサムネイル画像ＳＧ１）を押下操作すると、次のステップＳＰ１０４へ移る。
【０１０８】
このときＢＤレコーダ２の制御部１０は、ステップＳＰ１１６において、例えば１ページ目の紹介画面ＭＧ１が選択されたので、メタデータファイルＭＤＦの「Page1」に対応したメタデータＭＤ１を参照し、タイトルＩＤ、登録時開始点タイムコードＴｓ及び終了点タイムコードＴｅを読み出す。
【０１０９】
そしてＢＤレコーダ２の制御部１０は、ビデオストリーミングサーバ５に対して、タイトルＩＤによりビデオコンテンツのタイトルを指定し、お気に入り動画シーンの登録時開始点タイムコードＴｓ及び終了点タイムコードＴｅを指定し、かつ当該紹介画面ＭＧ１に対応したお気に入り動画シーンのストリーミング再生開始要求を行い、次のステップＳＰ１１７へ移る。
【０１１０】
ビデオストリーミングサーバ５のストリーミング管理部５０は、ステップＳＰ１３４において、ＢＤレコーダ２から指定されたコンテンツＩＤ、登録時開始点タイムコードＴｓ及び終了点タイムコードＴｅに従って、当該コンテンツＩＤに対応したビデオコンテンツをその登録時開始点タイムコードＴｓから読み出してストリーミング配信を開始し、次のステップＳＰ１３５へ移る。
【０１１１】
これによりＢＤレコーダ２の制御部１０は、ステップＳＰ１１７において、ビデオストリーミングサーバ５から予めお気に入り動画シーンとして登録したビデオコンテンツの時間的範囲部分だけをストリーミング再生してテレビ３に表示することによりユーザに目視確認させ、次のステップＳＰ１１８へ移る。
【０１１２】
この場合、ＢＤレコーダ２の制御部１０は、図１３に示すように、思い出アルバム画面ＯＡＧのうち紹介画面ＭＧ１のサムネイル画像ＳＧ１が押下操作されたことをトリガとして、数コマから構成されるお気に入り動画シーンＦＭＳのストリーミング再生映像をテレビ３に表示する。
【０１１３】
ユーザＵＲは、ステップＳＰ１０４において、お気に入り動画シーンＦＭＳのストリーミング再生映像を目視確認しながら、その時間的範囲を更に狭めて再登録しようと考えた場合、お気に入り動画シーンＦＭＳのストリーミング再生中にリモコン１９のお気に入りボタン１９Ａ（図２）を押下し、次のステップＳＰ１０５へ移る。
【０１１４】
このときＢＤレコーダ２の制御部１０は、ステップＳＰ１１８において、リモコン１９のお気に入りボタン１９Ａが押下された現時点を示す仮の開始点タイムコードＴＴ２を認識し、次のステップＳＰ１１９へ移る。
【０１１５】
ユーザＵＲは、ステップＳＰ１０５において、リモコン１９のお気に入りボタン１９Ａ（図２）を押下し続けている最中に、思い出として残しておきたいお気に入り動画シーンの終了タイミングを更に短縮して再登録しようと考えた場合、その時点で押下し続けているお気に入りボタン１９Ａを離し、次のステップＳＰ１０６へ移って処理を終了する。
【０１１６】
このときＢＤレコーダ２の制御部１０は、ステップＳＰ１１９において、リモコン１９のお気に入りボタン１９Ａが離された現時点を示す修正終了点タイムコードＴｅ２を認識し、仮の開始点タイムコードＴＴ２及び修正終了点タイムコードＴｅ２をＲＡＭ１３にバッファした後、次のステップＳＰ１２０へ移る。
【０１１７】
ステップＳＰ１２０においてＢＤレコーダ２の制御部１０は、仮の開始点タイムコードＴＴ２及び修正終了点タイムコードＴｅ２等に基づいてお気に入り動画シーンに関するメタデータＭＤ１を修正することによりメタデータファイルＭＤＦを更新した後、次のステップＳＰ１２１へ移る。
【０１１８】
なお思い出アルバム画面（図１３）では、紹介画面ＭＧ１〜ＭＧ３の中にフル再生ボタンＢ１０が表示されており、ＢＤレコーダ２の制御部１０は、このフル再生ボタンＢ１０が押下操作された場合、このビデオコンテンツを全編ストリーミング再生するようになされている。
【０１１９】
ここで実際にＢＤレコーダ２の制御部１０は、図１４に示すように、ステップＳＰ１２０Ａにおいて、ステップＳＰ１１８で認識した仮の開始点タイムコードＴＴ２から所定の戻し時間Ｔｗ２（例えば３秒間）を減算することにより、お気に入りボタン１９Ａが押下されたタイミングよりも３秒間だけ遡った登録時開始点タイムコードＴｓ２を求め、次のステップＳＰ１２０Ｂへ移る。
【０１２０】
ステップＳＰ１２０ＢにおいてＢＤレコーダ２の制御部１０は、登録時開始点タイムコードＴｓ２及び修正終了点タイムコードＴｅ２等に基づいてお気に入り動画シーンに関するメタデータＭＤ１を修正することによりメタデータファイルＭＤＦを更新し、これをローカルストレージであるＵＳＢメモリ６に記録した後、次のステップＳＰ１２１へ移る。
【０１２１】
その後ＢＤレコーダ２の制御部１０は、更新前の終了点タイムコードＴｅに基づいてお気に入り動画シーンに対するストリーミング再生停止要求をビデオストリーミングサーバ５へ行い、次のステップＳＰ１２２へ移って処理を終了する。
【０１２２】
ビデオストリーミングサーバ５のストリーミング管理部５０は、ステップＳＰ１３５において、ストリーミング再生停止要求に基づいて現在ストリーミング配信中のお気に入り動画シーンのストリーミング配信を停止し、次のステップＳＰ１３６へ移って処理を終了する。
【０１２３】
このようにコンテンツ配信システム１では、ビデオストリーミングサーバ５からストリーミング再生中のお気に入り動画シーンを見ているユーザＵＲのお気に入りボタン１９Ａに対する押下操作に応じて、お気に入り動画シーンの登録時開始点タイムコードＴｓ及び終了点タイムコードＴｅを、登録時開始点タイムコードＴｓ２及び修正終了点タイムコードＴｅ２に変更することができる。
【０１２４】
そしてＢＤレコーダ２の制御部１０は、お気に入り動画シーンに関するメタデータＭＤ１の登録時開始点タイムコードＴｓ２及び修正終了点タイムコードＴｅ２を用いてメタデータファイルＭＤＦを更新し、これをローカルストレージであるＵＳＢメモリ６に記録することにより、お気に入り動画シーンの再生及び修正処理を完了し得るようになされている。
【０１２５】
［１−９．動作及び効果］
以上の構成において、コンテンツ配信システム１におけるＢＤレコーダ２の制御部１０は、ブルーレイディスクＢＤに収録されているＢＤ−Ｊアプリ３１に従い、ユーザ所望のビデオコンテンツをビデオストリーミングサーバ５からストリーミング再生する。
【０１２６】
そしてＢＤレコーダ２の制御部１０は、ユーザのお気に入りボタン１９Ａに対する押下操作に応じてお気に入り動画シーンの登録時開始点タイムコードＴｓ及び及び終了点タイムコードＴｅを決定する。
【０１２７】
その後ＢＤレコーダ２の制御部１０は、そのときの日付、タイトルＩＤ、登録時開始点タイムコードＴｓ及び終了点タイムコードＴｅ等に基づいてお気に入り動画シーンに関するメタデータＭＤ１〜ＭＤ３を生成し、当該メタデータＭＤ１〜ＭＤ３及びサムネイル画像ＳＧ１〜ＭＧ３をお気に入り動画シーン情報としてローカルストレージであるＵＳＢメモリ６に記録する。
【０１２８】
これによりＢＤレコーダ２の制御部１０は、トップメニュー画面ＴＭＧにおいて思い出アルバムボタンＢ２が選択されたとき、メタデータファイルＭＤＦ及びサムネイル画像ＳＧ１〜ＳＧ３を用いて、紹介画面ＭＧ１〜ＭＧ３からなる思い出アルバム画面ＯＡＧを生成してテレビ３に表示することができる。
【０１２９】
これによりＢＤレコーダ２の制御部１０では、ユーザＵＲに対してどのようなお気に入り動画シーンが登録されているのかを思い出アルバム画面ＯＡＧの紹介画面ＭＧ１〜ＭＧ３を介して視覚的に目視確認させることができる。
【０１３０】
かくしてユーザＵＲは、紹介画面ＭＧ１〜ＭＧ３のサムネイル画像ＳＧ１〜ＳＧ３、コンテンツタイトル及び日付を確認することにより、いつ頃、何というビデオコンテンツのどのような動画シーンを気に入って登録したのか１つの思い出として鮮明に思い出すことができる。
【０１３１】
そしてユーザＵＲは、例えば紹介画面ＭＧ１のサムネイル画像ＳＧ１を押下操作するだけで、図１３に示したような、お気に入り動画シーンＦＭＳのストリーミング再生映像を目視確認して当時の記憶や感覚を呼び戻すことができる。
【０１３２】
なお、ユーザＵＲは、紹介画面ＭＧ１〜ＭＧ３のサムネイル画像ＳＧ１〜ＳＧ３を順番に目視確認するだけで、どのようなビデオコンテンツのどのようなお気に入り動画シーンを思い出として残したのかを１度に全て認識することもできる。
【０１３３】
因みにＢＤレコーダ２では、紹介画面ＭＧ１〜ＭＧ３のサムネイル画像ＳＧ１〜ＳＧ３を介して、これまでどのようなビデオコンテンツを視聴してきたのかを示す視聴履歴として思い出アルバム画面ＯＡＧをユーザＵＲに提供することができる。
【０１３４】
更にＢＤレコーダ２では、メタデータファイルＭＤＦ及びサムネイル画像ＳＧ１〜ＭＧ３をお気に入り動画シーン情報としてローカルストレージであるＵＳＢメモリ６に記録することにより、ブルーレイディスクＢＤが再生専用のＢＤ−ＲＯＭであっても、お気に入り動画シーン情報を確実に残すことができる。
【０１３５】
加えてＢＤレコーダ２では、お気に入り動画シーンＦＭＳのストリーミング再生映像を目視確認しながら、ユーザのお気に入りボタン１９Ａに対する押下操作に応じて、その時間的範囲を更に修正することができるので、何時でもユーザの好みに合った時間的範囲になるようにメタデータファイルＭＤＦを更新することができる。
【０１３６】
以上の構成によれば、コンテンツ配信システム１ではＢＤレコーダ２によりビデオコンテンツのストリーミング再生中に、ユーザがお気に入り動画シーンの開始タイミング及び終了タイミングを見つけたときのお気に入りボタン１９Ａに対する押下操作に応じて、ビデオコンテンツに対するユーザの思い出を動画シーンとして容易に残すことができる。
【０１３７】
＜２．他の実施の形態＞
なお上述した実施の形態においては、リモコン１９のお気に入りボタン１９Ａ（図２）がユーザＵＲにより押下された現時点を示す仮の開始点タイムコードＴＴに対応したフレーム画像を所定サイズに縮小することによりサムネイル画像ＳＧ１〜ＳＧ３を生成するようにした場合について述べた。しかしながら、本発明はこれに限らず、当該ビデオコンテンツに対応した市販のブルーレイディスクのジャケット写真を所定サイズに縮小することによりサムネイル画像ＳＧ１〜ＳＧ３を生成するようにしても良い。
【０１３８】
また上述した実施の形態においては、ＢＤレコーダ２の制御部１０がお気に入り動画シーンの時間的範囲をＵＳＢメモリ６に登録し、ビデオストリーミングサーバ５からその時間的範囲をストリーミング再生するようにした場合について述べた。しかしながら、本発明はこれに限らず、お気に入り静止画シーンとして、その瞬間のタイムコードをＵＳＢメモリ６に登録し、ビデオストリーミングサーバ５からそのタイムコードに対応した静止画をダウンロードして表示するようにしても良い。
【０１３９】
さらに上述した実施の形態においては、ＢＤレコーダ２の制御部１０がメタデータファイルＭＤＦ及びサムネイル画像ＳＧ１〜ＳＧ３をＵＳＢメモリ６に記録するようにした場合について述べた。しかしながら、本発明はこれに限らず、図１５に示すように、ビデオストリーミングサーバ５のストリーミング管理部５０がＢＤレコーダ２からメタデータファイルＭＤＦ及びサムネイル画像ＳＧ１〜ＳＧ３を受信してハードディスクドライブ５６に記録するようにしても良い。
【０１４０】
この場合、図１６に示すようにビデオストリーミングサーバ５は、ハードディスクドライブ５６に対してメタデータファイルデータベース５７を設け、ＢＤレコーダ２からビデオストリーミングサーバ５へメタデータファイルＭＤＦ及びサムネイル画像ＳＧ１〜ＳＧ３を送信することにより、当該メタデータファイルＭＤＦ及びサムネイル画像ＳＧ１〜ＳＧ３をメタデータファイルデータベース５７に保持させるようにしても良い。
【０１４１】
このときビデオストリーミングサーバ５は、当該メタデータファイルＭＤＦ及びサムネイル画像ＳＧ１〜ＳＧ３を用いて紹介画面ＭＧ１〜ＭＧ３を生成し、これらを含む思い出アルバム画面ＯＡＧをＢＤレコーダ２へ送信するようになされている。またビデオストリーミングサーバ５は、ＢＤレコーダ２から紹介画面ＭＧ１〜ＭＧ３を介して登録時開始点タイムコードＴｓ及び終了点タイムコードＴｅが指定されると、その時間的範囲部分のビデオコンテンツを読み出してＢＤレコーダ２へ配信するようになされている。
【０１４２】
このようにＢＤレコーダ２では、ＵＳＢメモリ６にメタデータファイルＭＤＦ及びサムネイル画像ＳＧ１〜ＳＧ３を記録することがないので、当該ＵＳＢメモリ６をユーザＵＲが紛失したり、メタデータファイルＭＤＦ及びサムネイル画像ＳＧ１〜ＳＧ３をユーザＵＲが誤って消去してしまうというリスクを予め回避することができ、何時でもお気に入り動画シーンをビデオストリーミングサーバ５からダウンロードすることができる。
【０１４３】
さらに上述した実施の形態においては、リモコン１９のお気に入りボタン１９Ａ（図２）がユーザＵＲにより押下された現時点を示す仮の開始点タイムコードＴＴに対応したフレーム画像を所定サイズに縮小することによりサムネイル画像ＳＧ１〜ＳＧ３を生成して紹介画面ＭＧ１〜ＭＧ３に表示するようにした場合について述べた。しかしながら、本発明はこれに限らず、紹介画面ＭＧ１〜ＭＧ３の中でサムネイル画像ＳＧ１〜ＳＧ３を介して静止画としてではなく、お気に入り動画シーンの動画を動画サムネイルとして直接サムネイル表示するようにしても良い。
【０１４４】
さらに上述した実施の形態においては、仮の開始点タイムコードＴＴから所定の戻し時間Ｔｗ（例えば５秒間）を減算することにより、お気に入りボタン１９Ａが押下されたタイミングよりも５秒間だけ遡った登録時開始点タイムコードＴｓを求めるようにした場合について述べた。しかしながら、本発明はこれに限らず、戻し時間Ｔｗとして任意の時間を設定するようにしても良い。
【０１４５】
さらに上述した実施の形態においては、仮の開始点タイムコードＴＴ２から所定の戻し時間Ｔｗ２（例えば３秒間）を減算することにより、お気に入り動画シーンのストリーミング再生中にお気に入りボタン１９Ａが押下されたタイミングよりも３秒間だけ遡った登録時開始点タイムコードＴｓ２を求めるようにした場合について述べた。しかしながら、本発明はこれに限らず、戻し時間Ｔｗ２として任意の時間を設定するようにしても良い。
【０１４６】
但し、修正時の戻し時間Ｔｗ２を登録時の戻し時間Ｔｗよりも短くする必要がある。これにより、ＢＤレコーダ２では、お気に入り動画シーンの時間的範囲から更にその範囲を狭めて真に必要な時間的範囲に修正することができる。
【０１４７】
さらに上述した実施の形態においては、ＢＤレコーダ２に装填されたブルーレイディスクＢＤのディスクＩＤを用いてビデオストリーミングサーバ５により認証処理を行うようにした場合について述べた。しかしながら、本発明はこれに限らず、ビデオストリーミングサーバ５とは異なる独自の認証サーバを用いて認証処理を行うようにしても良い。
【０１４８】
さらに上述した実施の形態においては、お気に入り動画シーンの開始タイミングでリモコン１９のお気に入りボタン１９Ａ（図２）を押下し、お気に入り動画シーンの終了タイミングでお気に入りボタン１９Ａを離すことに応じて開始点タイムコード及び終了点タイムコードをメタデータＭＤ１〜ＭＤ３としてＵＳＢメモリ６に記録するようにした場合について述べた。しかしながら、本発明はこれに限らず、お気に入り動画シーンの開始タイミングでお気に入りボタン１９Ａを押下し、お気に入り動画シーンの終了タイミングでお気に入りボタン１９Ａを再度押下することに応じて開始点タイムコード及び終了点タイムコードをメタデータＭＤ１〜ＭＤ３としてＵＳＢメモリ６に記録するようにしても良い。
【０１４９】
さらに上述した実施の形態においては、図１１（Ａ）〜（Ｃ）に示したような紹介画面ＭＧ１〜ＭＧ３を生成して表示するようにした場合について述べた。しかしながら、本発明はこれに限らず、図１７（Ａ）〜（Ｃ）に示すような、ユーザ所望のコメント付き紹介画面ＭＧ１Ｓ〜ＭＧ３Ｓを生成して表示するようにしても良い。この場合、ＢＤレコーダ２の制御部１０は、ＢＤ−Ｊアプリ３１によりテレビ３にソフトウェアキーボードを表示し、そのソフトウェアキーボードを介してユーザＵＲに対して所望のコメントを入力させ、当該コメントについてもメタデータＭＤ１〜ＭＤ３として記録することにより実現する。
【０１５０】
さらに上述した実施の形態においては、図１１（Ａ）〜（Ｃ）に示したような紹介画面ＭＧ１〜ＭＧ３を生成して表示するようにした場合について述べた。しかしながら、本発明はこれに限らず、ユーザ所望のコメント音声を紹介画面ＭＧ１〜ＭＧ３と共に出力するようにしても良い。この場合、ＢＤレコーダ２の制御部１０は、当該コメント音声を予め収録しておき、メタデータＭＤ１〜ＭＤ３と共にＵＳＢメモリ６に記録しておくことにより実現する。
【０１５１】
さらに上述した実施の形態においては、図１１（Ａ）〜（Ｃ）に示したような紹介画面ＭＧ１〜ＭＧ３を生成して表示するようにした場合について述べた。しかしながら、本発明はこれに限らず、図１８に示すような、１つの画面に１つのビデオコンテンツ「となりのトリ」の中で登録された３通りの時間的範囲にそれぞれ対応したサムネイル画像ＳＧ１Ａ、ＳＧ１Ｂ及びＳＧ１Ｃが表示されてなる紹介画面ＭＧ１ＳＳを生成して表示するようにしても良い。
【０１５２】
この場合、ＢＤレコーダ２の制御部１０は、サムネイル画像ＳＧ１Ａ、ＳＧ１Ｂ及びＳＧ１Ｃの何れかが押下操作されたとき、その何れかに対応した時間的範囲のお気に入り動画シーンをストリーミング再生することができる。
【０１５３】
さらに上述した実施の形態においては、図１１（Ａ）〜（Ｃ）に示したような紹介画面ＭＧ１〜ＭＧ３を生成して表示するようにした場合について述べた。しかしながら、本発明はこれに限らず、図１９に示すような、１つの画面に３つのビデオコンテンツ「となりのトリ」、「Haunted House」、及び「Space travel」の中でそれぞれ登録された時間的範囲に対応したサムネイル画像ＳＧ１、ＳＧ２及びＳＧ３が表示されてなる紹介画面ＭＧ４を生成して思い出アルバム画面ＯＡＧ２として表示するようにしても良い。
【０１５４】
この場合、ＢＤレコーダ２の制御部１０は、サムネイル画像ＳＧ１、ＳＧ２及びＳＧ３の何れかが押下操作されたとき、その何れかに対応したビデオコンテンツの時間的範囲に相当するお気に入り動画シーンをストリーミング再生することができる。
【０１５５】
さらに上述した実施の形態においては、ブルーレイディスクＢＤに収録されたＢＤ−Ｊアプリ３１によりメタデータファイルＭＤＦを生成し、これを外部記憶手段としてのＵＳＢメモリ６に記録するようにした場合について述べた。しかしながら、本発明はこれに限らず、ブルーレイディスクＢＤが再生専用ではないＢＤ−ＲＥ等の書き込み可能な光ディスクであれば、メタデータファイルＭＤＦを当該ブルーレイディスクＢＤの空き領域に書込むようにしても良い。
【０１５６】
さらに上述した実施の形態においては、ブルーレイディスクＢＤに収録されたＢＤ−Ｊアプリ３１によりメタデータファイルＭＤＦを生成したり、思い出アルバム画面ＯＡＧを生成して表示するようにした場合について述べた。しかしながら、本発明はこれに限らず、例えばＵＳＢメモリに収録されたＢＤ−Ｊアプリ３１と同程度の機能を有する所定のアプリケーションプログラムによりメタデータファイルＭＤＦを生成したり、思い出アルバム画面ＯＡＧを生成して表示するようにしても良い。すなわち、本発明では、記録媒体としてブルーレイディスクＢＤに限るものではなく、かつＢＤ−Ｊアプリ３１に限るものでもない。
【０１５７】
さらに上述した実施の形態においては、仮の開始点タイムコードＴＴ及びＴＴ２から所定時間だけ遡った登録時開始点タイムコードＴｓ及びＴｓ２を求めてＵＳＢメモリ６に記録するようにした場合について述べた。しかしながら、本発明はこれに限らず、仮の開始点タイムコードＴＴ及びＴＴ２をそのまま登録時開始点タイムコードＴｓ及びＴｓ２としてＵＳＢメモリ６に記録するようにしても良い。
【０１５８】
さらに上述した実施の形態においては、お気に入りボタン１９Ａが離されたときの終了点タイムコードＴｅをそのままＵＳＢメモリ６に記録するようにした場合について述べた。しかしながら、本発明はこれに限らず、お気に入りボタン１９Ａが離された時点から所定時間だけ経過した時点を登録時終了点タイムコードとしてＵＳＢメモリ６に記録するようにしても良い。
【０１５９】
さらに上述した実施の形態においては、読出手段としての制御部１０及びディスク記録再生部１４、受信手段としての制御部１０、ネットワークインタフェース２４及び出力インタフェース１７、動画シーン登録手段としての制御部１０及びＵＳＢインタフェース２０、紹介画面生成手段としての制御部１０、動画シーン再生手段としての制御部１０、ネットワークインタフェース２４によって本発明のコンテンツ再生装置を構成するようにした場合について述べた。しかしながら、本発明はこれに限らず、その他種々の構成でなる読出手段、受信手段、動画シーン登録手段、紹介画面生成手段及び動画シーン再生手段によって本発明のコンテンツ再生装置を構成するようにしても良い。
【０１６０】
さらに上述した実施の形態においては、配信手段としてのストリーミング管理部５０及びネットワークインタフェース５４、動画シーン情報記憶手段としてのストリーミング管理部５０及びハードディスクインタフェース５５、紹介画面生成手段としてのストリーミング管理部５０によって本発明のコンテンツ提供装置を構成するようにした場合について述べた。しかしながら、本発明はこれに限らず、その他種々の構成でなる配信手段、動画シーン情報記憶手段及び紹介画面生成手段によって本発明のコンテンツ提供装置を構成するようにしても良い。
【０１６１】
さらに上述した実施の形態においては、本発明のコンテンツ再生装置を例えばＢＤレコーダ２に適用するようにした場合について述べたが、本発明はこれに限らず、コンテンツをストリーミング再生可能なその他種々のパーソナルコンピュータ、ＰＤＡ(Personal Digital Assistant)、携帯電話機、ゲーム機等のその他種々の電子機器に広く適用することができる。
【産業上の利用可能性】
【０１６２】
本発明のコンテンツ再生装置、コンテンツ提供装置及びコンテンツ配信システムは、例えばＢＤレコーダ２を用いたコンテンツ配信システム１以外にも、デジタルビデオカメラやデジタルスチルカメラを用いたコンテンツ配信システム等に適用することができる。
【符号の説明】
【０１６３】
１……コンテンツ配信システム、２……ＢＤレコーダ、３……テレビ、４……インターネット、５……ビデオストリーミングサーバ、６……ＵＳＢメモリ、１０……制御部、１１、５１……ＣＰＵ、１２、５２……ＲＯＭ、１３、５３……ＲＡＭ、１４……ディスク記録再生部、１５、５５……ハードディスクインタフェース、１６、５６……ハードディスクドライブ、１７……出力インタフェース、１８……入力インタフェース、１９……リモコン、１９Ａ……お気に入りボタン、２０……ＵＳＢインタフェース、２１……チューナ部、２２……システムバス、２４、５４……ネットワークインタフェース、３１……ＢＤ−Ｊアプリ、３２……タイトルデータ、３３、ＴＲ……トレーラー、５０……ストリーミング管理部、５７……メタデータファイルデータベース。
【図１】
0005609021.tif 000002
【図２】
0005609021.tif 000003
【図３】
0005609021.tif 000004
【図４】
0005609021.tif 000005
【図５】
0005609021.tif 000006
【図６】
0005609021.tif 000007
【図７】
0005609021.tif 000008
【図８】
0005609021.tif 000009
【図９】
0005609021.tif 000010
【図１０】
0005609021.tif 000011
【図１１】
0005609021.tif 000012
【図１２】
0005609021.tif 000013
【図１３】
0005609021.tif 000014
【図１４】
0005609021.tif 000015
【図１５】
0005609021.tif 000016
【図１６】
0005609021.tif 000017
【図１７】
0005609021.tif 000018
【図１８】
0005609021.tif 000019
【図１９】
0005609021.tif 000020